(57)【要約】  【課題】  フォーカス動作時のレンズホルダの傾き方向が安定し、光ディスク装置の性能悪化が抑えられる光ピックアップを提供する。  【解決手段】  ベース部２に固定されたシャフト４に沿って上下に変位するレンズホルダ５の端面５ｃと、ベース部２の起立板２ｂとにフレキシブルプリント基板７を接着する。フレキシブルプリント基板７の接続部７ｂは、起立板２ｂとの接着部である貼付部７ｃ側が端面５ｃとの接着部である貼付部７ａ側に比べて幅が広くなっており、レンズホルダ５のシャフト４に沿った上下方向位置によらず、端面５ｃは常に下方向に引っ張られる。【選択図】      図３
2007018663.tif 000002
【特許請求の範囲】
【請求項１】
ベース部と、該ベース部に固定された軸と、該軸に嵌合する軸孔を有するレンズホルダ
とを備え、前記レンズホルダが前記軸に沿って変位可能な光ピックアップにおいて、
前記ベース部に取り付けられる第一の取り付け部と、前記レンズホルダの端部に取り付
けられる第二の取り付け部と、前記第一の取り付け部と前記第二の取り付け部とを接続す
る接続部とを有し、前記接続部は、前記第一の取り付け部側が前記第二の取り付け部側に
比べて幅が広いようなフレキシブルプリント基板を備えることを特徴とする光ピックアッ
プ。
【請求項２】
ベース部と、該ベース部に固定された軸と、該軸に嵌合する軸孔を有するレンズホルダ
とを備え、前記レンズホルダが前記軸に沿って変位可能な光ピックアップにおいて、
前記ベース部と前記レンズホルダの端部とを接続するように取り付けられ、前記レンズ
ホルダの前記軸に沿った位置によらず前記レンズホルダの端部に一定方向の力を加えるシ
ート状部材を備えることを特徴とする光ピックアップ。
【請求項３】
前記シート状部材は、前記ベース部に取り付けられる第一の取り付け部と、前記レンズ
ホルダの端部に取り付けられる第二の取り付け部と、前記第一の取り付け部と前記第二の
取り付け部とを接続する接続部とを有し、
前記接続部は、前記第一の取り付け部側が前記第二の取り付け部側に比べて幅が広いこ
とを特徴とする請求項２に記載の光ピックアップ。
【発明の詳細な説明】
【技術分野】
【０００１】
本発明は、光ディスク装置に用いられる光ピックアップの構造に関する。
【背景技術】
【０００２】
ＣＤ、ＤＶＤ等の光ディスクに記録されたデータを再生したり、光ディスクにデータを
記録する光ディスク装置には、光ディスクに光ビームを照射し、その反射光を読み取る光
ピックアップが備えられている。
【０００３】
光ピックアップには各種のタイプがあり、そのうち、対物レンズを保持するレンズホル
ダが軸に対して上下方向に変位および回動することでフォーカス動作、トラッキング動作
を行うような光ピックアップが従来から開発されている。このような光ピックアップとし
ては例えば特許文献１に開示されているものがある。
【０００４】
ここで開示されている光ピックアップでは、対物レンズを保持するレンズホルダが軸孔
を有し、この軸孔が基台に設けられた軸に嵌合され、レンズホルダは上下方向に変位およ
び回動可能となっている。そして、レンズホルダに備えられた駆動用コイルに電流を供給
するフレキシブルプリント基板の一端が、レンズホルダの側面から底面における軸近傍ま
で貼り付けられ、軸近傍で湾曲され、上記レンズホルダの側面側に引き出されている。こ
のような構成によれば、レンズホルダがフレキシブルプリント基板に引っ張られたとき、
軸近傍において略真下方向に引っ張られるので、レンズホルダに作用するモーメントを抑
え、レンズホルダの水平性を保つことができ、ひいては光ディスク装置の信頼性が向上す
るとある。
【０００５】
しかし、このような構成の光ピックアップではフォーカス動作時、レンズホルダが軸の
上方に位置する場合はフレキシブルプリント基板に引っ張られて、レンズホルダが軸の下
方に位置する場合は逆にフレキシブルプリント基板に押し上げられ、レンズホルダの位置
によってレンズホルダの傾き方向が変化し、光ピックアップの読み取り信号にジッタが発
生し、ひいては光ディスク装置の性能悪化につながるという問題がある。
【特許文献１】特開２００２−３０４７５６号公報
【発明の開示】
【発明が解決しようとする課題】
【０００６】
上記問題点を鑑みて本発明はなされたものであり、フォーカス動作時のレンズホルダの
傾き方向が安定し、光ディスク装置の性能悪化が抑えられる光ピックアップを提供するこ
とを目的とする。
【課題を解決するための手段】
【０００７】
上記目的を達成するために本発明の光ピックアップは、ベース部と、該ベース部に固定
された軸と、該軸に嵌合する軸孔を有するレンズホルダとを備え、前記レンズホルダが前
記軸に沿って変位可能な光ピックアップにおいて、前記ベース部と前記レンズホルダの端
部とを接続するように取り付けられ、前記レンズホルダの前記軸に沿った位置によらず前
記レンズホルダの端部に一定方向の力を加えるシート状部材を備えることを特徴とする。
【０００８】
このような構成によれば、フォーカス動作時のレンズホルダの傾き方向が安定し、光デ
ィスク装置の性能悪化が抑えられる。
【０００９】
また、前記シート状部材は、前記ベース部に取り付けられる第一の取り付け部と、前記
レンズホルダの端部に取り付けられる第二の取り付け部と、前記第一の取り付け部と前記
第二の取り付け部とを接続する接続部とを有し、前記接続部は、前記第一の取り付け部側
が前記第二の取り付け部側に比べて幅が広いような構造であればよい。また、前記シート
状部材にはフレキシブルプリント基板を用いればよい。
【発明の効果】
【００１０】
本発明の光ピックアップにより、フォーカス動作時のレンズホルダの傾き方向が安定し
、光ディスク装置の性能悪化が抑えられる。
【発明を実施するための最良の形態】
【００１１】
以下、本発明の実施形態について図面を参照しつつ説明する。図１は、本発明の光ピッ
クアップ１の分解斜視図（ａ）、完成斜視図（ｂ）および側面断面図（ｃ）を示す。
【００１２】
光ピックアップ１は、ベース部２、マグネット３、シャフト４、レンズホルダ５、対物
レンズ６、フレキシブルプリント基板７を備える。シャフト４はベース部２の底面に設け
られた孔２ｃ（図１（ｃ））に圧入される。レンズホルダ５の中央部には下方向にボス部
５ｂ（図１（ｃ））が突設され、レンズホルダ５の上面からボス部５ｂを貫通するように
軸孔５ａが設けられる。この軸孔５ａにシャフト４が嵌合される。また、レンズホルダ５
の端部には対物レンズ６が接着される。また、ボス部５ｂ周りには図示しないフォーカス
コイルが配置され、レンズホルダ５の両側面には図示しないトラッキングコイルが配置さ
れる。ベース部２の両側面には底面から起立する起立板２ａが設けられ、この起立板２ａ
に当接するようマグネット３が接着される。
【００１３】
また、フレキシブルプリント基板７の一端に設けられた貼付部７ａが、レンズホルダ５
における対物レンズ６の保持部に対向する端面５ｃに接着される。そして、フレキシブル
プリント基板７に設けられた貼付部７ｃが、ベース部２の起立板２ａに略直交する側面に
底面から起立されて設けられた起立板２ｂの外側面に接着される。フレキシブルプリント
基板７の貼付部７ａは上記フォーカスコイルおよびトラッキングコイルに接続されている
。また、接続部７ｂは貼付部７ａと貼付部７ｃとを接続する部分である。
【００１４】
このような構成により、フレキシブルプリント基板７を介してフォーカスコイルに電流
が供給されると、フォーカスコイルが励磁され、レンズホルダ５がシャフト４に沿って図
１（ｃ）中ａｂ方向に変位し、対物レンズ６の焦点をディスクの記録面に合わせるフォー
カス動作がされる。また、フレキシブルプリント基板７を介してトラッキングコイルに電
流が供給されると、トラッキングコイルが励磁され、レンズホルダ５がシャフト４周りに
図１（ｂ）中ｃｄ方向に回動し、対物レンズ６がディスクのトラックに追従するトラッキ
ング動作がされる。
【００１５】
図２は、フレキシブルプリント基板７の上面図である。フレキシブルプリント基板７は
シート状であり、貼付部７ａと貼付部７ｃとを接続する接続部７ｂは、図２のように貼付
部７ｃ側のほうが貼付部７ａ側よりも幅が広い構造となっている。
【００１６】
このようなフレキシブルプリント基板７を備えた本発明の光ピックアップの動作につい
て説明する。図３は、光ピックアップ１のフォーカス動作時の側面断面図であり、（ａ）
はレンズホルダ５が中立位置に位置する場合、（ｂ）はレンズホルダ５が中立位置より上
方に位置する場合、（ｃ）はレンズホルダ５が中立位置より下方に位置する場合を示す。
【００１７】
フレキシブルプリント基板７の接続部７ｂは、ベース部２の２つの起立板２ｂの間に形
成される開口部（図１（ａ）参照）を通過する形で湾曲し、接続部７ｂの一端の貼付部７
ａがレンズホルダ５の端面５ｃに接着され、接続部７ｂの他端の貼付部７ｃがベース部２
の起立板２ｂに接着されている。これにより、接続部７ｂのうち貼付部７ｃ側の幅広部（
図３中の囲い部Ｗ）は元のまっすぐな形状に図３中矢印方向に戻ろうとする。
【００１８】
接続部７ｂの幅広部が元の形状に戻ろうとする力により、貼付部７ａが接着されたレン
ズホルダ５の端面５ｃが図３中矢印方向に引っ張られる。端面５ｃが図３中矢印方向に引
っ張られると、図３中矢印方向にレンズホルダ５が傾く。
【００１９】
フォーカス動作によりレンズホルダ５がシャフト４に沿って上下に変位し、図３（ａ）
（ｂ）（ｃ）のいずれの位置にあっても、常に接続部７ｂにおける貼付部７ｃ側の幅広部
（図３中の囲い部Ｗ）は元のまっすぐな形状に図３中矢印方向に戻ろうとするので、端面
５ｃはフレキシブルプリント基板７に図３中矢印方向に常に引っ張られ、レンズホルダ５
が傾く方向は常に図３中矢印方向で変化しない。これにより、フォーカス動作時のレンズ
ホルダ５の傾き方向が安定し、光ディスク装置の性能悪化が抑えられる。
【００２０】
上記ではフレキシブルプリント基板７の接続部７ｂは、ベース部２の２つの起立板２ｂ
の間に形成される開口部を通過する形で湾曲していたが、図４のように、起立板２ｂの上
方を通過する形で湾曲するようにしてもよい。この場合、フォーカス動作によりレンズホ
ルダ５がシャフト４に沿って上下に変位し、いずれの位置にあっても、常に接続部７ｂに
おける貼付部７ｃ側の幅広部（図４中の囲い部Ｗ）は元のまっすぐな形状に図４中矢印方
向に戻ろうとするので、レンズホルダ５の端面５ｃはフレキシブルプリント基板７に図４
中矢印方向に常に引っ張られ、レンズホルダ５が傾く方向は常に図４中矢印方向で変化し
ない。これにより、やはりフォーカス動作時のレンズホルダ５の傾き方向が安定し、光デ
ィスク装置の性能悪化が抑えられる。
【００２１】
なお、以上の実施形態におけるフレキシブルプリント基板７の代わりに、図２と同様の
形状をした金属薄板等を使用しても同様の効果が得られる。その場合、フォーカスコイル
およびトラッキングコイルにはリード線から電流を供給するようにしておけばよい。
【００２２】
また、図２のフレキシブルプリント基板では、接続部７ｂにおいて貼付部７ｃ側が貼付
部７ａ側に比べて幅が広い構造としたが、例えば接続部７ｂにおいて貼付部７ｃ側が貼付
部７ａ側に比べて厚みが厚くなるようにしても同様の効果が得られる。
【図面の簡単な説明】
【００２３】
【図１】は、本発明の光ピックアップの分解斜視図、完成斜視図および側面断面図を示す図である。
【図２】は、フレキシブルプリント基板の上面図である。
【図３】は、本発明の光ピックアップのフォーカス動作時の側面断面図である。
【図４】は、本発明の光ピックアップの側面断面図である。
【符号の説明】
【００２４】
１    光ピックアップ
２    ベース部
３    マグネット
４    シャフト
５    レンズホルダ
６    対物レンズ
７    フレキシブルプリント基板
【図１】
2007018663.tif 000003
【図２】
2007018663.tif 000004
【図３】
2007018663.tif 000005
【図４】
2007018663.tif 000006